(57)【要約】【課題】本発明は、微生物の生育条件に応じて制御モジュール、すなわちオゾン量及び風量を異なるように設定する殺菌装置及びその制御方法を提供する。【解決手段】本発明に係る殺菌装置には、微生物の生育条件を測定するセンサ部と、微生物を殺菌するための殺菌剤を発生させる殺菌部と、上記センサ部により測定された微生物の生育条件に応じて殺菌部の作動を制御する制御部とを備える。【選択図】図２
2007130483.tif 000002
【特許請求の範囲】
【請求項１】
空気中の微生物を除去する殺菌装置において、
微生物の生育条件を測定するセンサ部と、
微生物を殺菌するための殺菌剤を発生させる殺菌部と、
前記センサ部により測定された微生物の生育条件に応じて殺菌部の作動を制御する制御部と
を備えることを特徴とする殺菌装置。
【請求項２】
前記微生物の生育条件が、温度と湿度により測定されることを特徴とする請求項１に記載の殺菌装置。
【請求項３】
前記センサ部により測定される微生物の生育条件に応じて、前記殺菌部に印加される電源のオン／オフ時間の割合が異なるように設定されることを特徴とする請求項１に記載の殺菌装置。
【請求項４】
前記センサ部には、
温度を感知する温度センサと、
湿度を感知する湿度センサと
を備えることを特徴とする請求項１に記載の殺菌装置。
【請求項５】
冷房または暖房が行われる空調装置に提供されることを特徴とする請求項１に記載の殺菌装置。
【請求項６】
前記殺菌部から発生する殺菌剤を、室内空間に拡散させる風量部をさらに備えることを特徴とする請求項１に記載の殺菌装置。
【請求項７】
前記殺菌剤にはプラズマ放電により形成されるオゾンが含まれることを特徴とする請求項１に記載の殺菌装置。
【請求項８】
室内空間に分布するオゾンの量を感知するオゾン量感知センサと、
前記オゾン量感知センサにより感知されるオゾン量に応じて作動する換気部と
をさらに備えることを特徴とする請求項１に記載の殺菌装置。
【請求項９】
前記制御部により制御され、前記殺菌部と連動して作動する空調部をさらに備えることを特徴とする請求項１に記載の殺菌装置。
【請求項１０】
前記制御部による自動運転またはユーザによる受動運転が可能であることを特徴とする請求項１に記載の殺菌装置。
【請求項１１】
自動運転過程では、前記制御部により前記殺菌部のオン／オフ時間が周期的または非周期的に行われることを特徴とする請求項１０に記載の殺菌装置。
【請求項１２】
受動運転過程では、前記殺菌部のオン時間が連続して維持されることを特徴とする請求項１０に記載の殺菌装置。
【請求項１３】
微生物を除去するための殺菌装置の制御方法において、
微生物の生育条件が測定されるステップと、
測定された微生物の生育条件に応じて殺菌部の動作条件が決定されるステップと、
決定された動作条件に応じて前記殺菌部が作動してオゾンが発生するステップと
を含むことを特徴とする殺菌装置の制御方法。
【請求項１４】
前記微生物の生育条件が、温度と湿度により決定されることを特徴とする請求項１３に記載の殺菌装置の制御方法。
【請求項１５】
前記測定された微生物の生育条件に応じて、前記殺菌部のオン／オフ周期またはオン／オフ時間の割合が異なるように設定されることを特徴とする請求項１３に記載の殺菌装置の制御方法。
【請求項１６】
前記殺菌部が動作する過程において前記微生物の生育条件を感知し続けて、殺菌部の動作条件を可変にすることを特徴とする請求項１３に記載の殺菌装置の制御方法。
【請求項１７】
前記殺菌部により発生したオゾンが室内空間に拡散するように風量部が作動するステップをさらに含むことを特徴とする請求項１３に記載の殺菌装置の制御方法。
【請求項１８】
前記微生物の生育条件に応じてオゾン発生量と風量部の風圧とが異なるように設定されることを特徴とする請求項１７に記載の殺菌装置の制御方法。
【請求項１９】
前記殺菌部による殺菌過程が、冷房または暖房を行う空調装置と連動して行うことができることを特徴とする請求項１３に記載の殺菌装置の制御方法。
【発明の詳細な説明】
【技術分野】
【０００１】
本発明は、殺菌装置に関し、詳細には、微生物の生育条件に応じて適切な量のオゾンを発生させることによって、電力消費を最小化し、人体に有害な影響を及ぼすことを防止することができる殺菌装置及びその制御方法に関する。
【背景技術】
【０００２】
一般に、かびとウイルスのような微生物を殺菌する方法には、高圧／高熱処理方法、エチレンオキサイド（Ｅｔｈｙｌｅｎｅ  Ｏｘｉｄｅ）を利用した化学処理方法、紫外線処理方法、プラズマ放電を利用した殺菌方法などがある。
【０００３】
詳細に述べると、上記高圧／高熱処理方法は、高圧の蒸気と高温の熱い空気を利用する方法であって、金属の場合は孔食が発生する可能性があり、プラスチックの場合は使用できないという問題がある。
【０００４】
そして、エチレンオキサイドを利用した化学処理方法は、低温における殺菌処理に優れているが、強い引火性物及び毒劇物として取扱に注意が必要であり、処理物に毒性の残留物を残す可能性があるという問題がある。
【０００５】
紫外線処理方法は、紫外線ランプを利用して処理する方法であって、使用が容易であるが、紫外線と直接接触しない部位は、殺菌されないという問題がある。
【０００６】
これにより、プラズマ放電を利用した殺菌方法が最も広く用いられており、これは誘電体バリア放電（ＤＢＤ；Ｄｉｅｌｅｃｔｒｉｃ  Ｂａｒｒｉｅｒ  Ｄｉｓｃｈａｒｇｅ）による高い電子エネルギーを利用した殺菌方法である。
【０００７】
そして、プラズマ放電を利用した殺菌方法は、高い電子エネルギーを利用して水酸化基（ＯＨ  ｒａｄｉｃａｌ）、陰イオン（ｎｅｇａｔｉｖｅ  ｉｏｎ）、オゾンなどを発生させて、細菌、真菌（かび）の殺菌及び揮発性有機化合物（ＶＯＣｓ）の化学的連鎖を破壊して除去するのに効果的であると知られている。
【０００８】
しかしながら、プラズマ放電により発生する水酸化基、陰イオン、オゾンなどの高い酸化力のため、密閉環境においてこれらの成分に長時間露出される場合、人体に有害であると知られている。そのため、韓国をはじめとする世界各国では、オゾンに対するガイドラインを提示しており、韓国内では２４時間最大５０ｐｐｂ（Ｐａｒｔｓ  Ｐｅｒ  Ｂｉｌｌｉｏｎ）を超過してはいけないと規定している。
【０００９】
一方、従来の殺菌装置においては、オゾンを発生させるために一定の電源が印加され続けるため、密閉された室内空間にオゾン量が飽和されて、人体にむしろ害を及ぼすという問題がある。
【００１０】
また、オゾンを発生させるために、一定の電源が印加され続けることによって、殺菌装置の過度な運転により電力消費が増加し、これにより、殺菌装置の維持費が増加するという問題がある。
【発明の開示】
【発明が解決しようとする課題】
【００１１】
本発明は、上述の問題点に鑑みてなされたもので、その目的は、微生物の生育条件に応じて制御モジュール、すなわちオゾン量及び風量を異なるように設定する殺菌装置及びその制御方法を提供することにある。
【００１２】
また、本発明の他の目的は、微生物の生育条件に応じて駆動が異なるように適用され得るようにして、過度な運転を防止し、密閉された室内空間にオゾン量が飽和されて人体に害を及ぼすのを防止し得る殺菌装置及びその制御方法を提供することにある。
【００１３】
また、本発明のさらに他の目的は、オゾンを発生させるために印加される電源のオン／オフ回数及び時間を適切に調節して電力消費を最小化し、これにより殺菌装置の維持費を低減し得る殺菌装置及びその制御方法を提供することにある。
【課題を解決するための手段】
【００１４】
上記の目的を達成すべく、本発明に係る殺菌装置は、微生物の生育条件を測定するセンサ部と、微生物を殺菌するための殺菌剤を発生させる殺菌部と、該センサ部により測定された微生物の生育条件に応じて殺菌部の作動を制御する制御部とを備える。
【００１５】
上記の目的を達成すべく、本発明に係る殺菌装置の制御方法は、微生物の生育条件が測定されるステップと、測定された微生物の生育条件に応じて殺菌部の動作条件が決定されるステップと、決定された動作条件に応じて上記殺菌部が作動してオゾンが発生するステップとを含む。
【発明の効果】
【００１６】
本発明の殺菌装置及びその制御方法によれば、微生物の生育条件に応じて制御モジュール、すなわち、オゾン量及び風量が異なるように設定することができるという長所がある。
【００１７】
また、微生物の生育条件に応じて殺菌部の運転条件を異なるように設定して、過度な運転を防止し、密閉された室内空間にオゾン量が飽和されて人体に害を及ぼすのを防止することができるという長所がある。
【００１８】
また、オゾンを発生させるために印加される電源のオン／オフ時間は適切に制御可能であるので、電力消費を最小化し、これにより、殺菌装置の維持費を低減し得るという長所がある。
【発明を実施するための最良の形態】
【００１９】
以下、本発明の好ましい実施の形態を、添付図面に基づき詳細に説明する。そして、本発明の実施の形態では、微生物に対してかびとウイルスを例に挙げて説明し、かびとウイルスを殺菌するための殺菌剤としてオゾンを使用しているが、これは、本発明の実施の形態を明確に説明するための一例に過ぎず、本発明の権利範囲を提案するものではないことを宣言して明らかにする。
【００２０】
そして、本発明の思想を理解する当業者は、本発明の実施の形態に対して構成要素の追加、変更、削除等により、他の実施の形態を容易に提案できるが、これも本発明の思想の範囲内に属するものである。
【００２１】
図１は、微生物の生育条件を説明する図である。
【００２２】
図１に示す微生物の生育条件は、かびとウイルスを微生物の例として使用しており、微生物の生育条件に対して４個の領域に分類されることができる。但し、これは本発明の実施の形態により設定される領域であって、その実施を変更できることはもちろんである。
【００２３】
詳細には、かびとウイルスの発生量は、温度、湿度条件に応じて変わり、６０％ＲＨ状態では急速に成長する。そして、成長過程で胞子を空気中に飛散させて、人体に免疫過敏反応（アレルギー）、アトピー、ぜんそく、頭痛の呼吸器疾患を引き起こす。
【００２４】
したがって、かびとウイルスに対して温度と湿度を利用した生育条件の区分が可能である。以下では、かびとウイルスの生育条件に対して、例示的な温度と湿度の数値を使用することによって詳細に説明する。
【００２５】
詳細には、温度１８℃以下の領域は、ウイルス維持領域３０である。ウイルス維持領域３０では、ウイルスの活動性または発生量は大きく増加しないが、存在するウイルスが生育し得る条件になる。
【００２６】
また、温度２２℃以上、湿度２０〜６０％になる領域は、かび維持領域１０である。かび維持領域１０では、かびの活動性または発生量は大きく増加しないが、存在するかびが生育し得る条件になる。
【００２７】
また、温度２２℃以上、湿度６０％以上になる領域は、かび増加領域２０である。かび増加領域２０では、かびの活動性または発生量が大きく増加でき、これにより、室内空間の空気質（ａｉｒ  ｑｕａｌｉｔｙ）が急激に低下し得る。
【００２８】
また、温度２２℃以上、湿度２０％以下になる領域は、ウイルス増加領域４０である。ウイルス増加領域４０では、ウイルスの活動性または発生量が増加でき、これにより、室内空間の空気質が低下し得る。
【００２９】
図２は、本発明の実施の形態に係る殺菌装置の構成を説明するブロック図である。
【００３０】
図２に示すように、本発明の実施の形態に係る殺菌装置には、室内空間の微生物の生育条件を測定し得るセンサ部１１０と、センサ部１１０により測定される温度及び／または湿度に基づいて適正量のオゾンが発生するように制御する制御部１００と、制御部１００の制御に応じてオゾンを発生させる殺菌部１２０と、制御部１００の制御に応じてオゾンを室内空間に拡散させる風量部１３０が備えられる。そして、風量部１３０は、制御部１００の制御に応じて風量が可変する。
【００３１】
また、上記殺菌装置には、室内空間を暖房または冷房させ得る空調部１４０と、室内空間を換気させ得る換気部１５０とをさらに備えることができる。
【００３２】
詳細には、センサ部１１０には、室内空間の温度を測定し得る温度センサ１１１と、室内空間の湿度を測定し得る湿度センサ１１２が備えられる。そして、温度センサ１１１及び湿度センサ１１２は、室内空間でかびやウイルスが生育できる適切な位置に備えられることができる。
【００３３】
また、制御部１００は、センサ部１１０により測定される温度及び／または湿度を読み込んで、これにより、室内空間に供給されるオゾンの量とその風量を異なるように設定することができる。
【００３４】
そして、制御部１００は、殺菌部１２０に印加される電源のオン時間とオフ時間の割合を制御することにより、室内空間に供給されるオゾンの量をそれぞれ設定することができる。
【００３５】
そして、制御部１００は、風量部１３０により発生する風量を制御することによって、殺菌部１２０により発生するオゾンが室内空間に拡散される速度を制御することができる。
【００３６】
さらに詳細には、制御部１００は、殺菌部１２０の駆動により、室内空間に所定のオゾンが供給されている間にも、センサ部１１０を介して測定される室内空間の温度及び／または湿度を読み込むことができる。
【００３７】
この場合、制御部１００は、微生物の生育条件が殺菌部１２０の初期駆動時の条件と異なる場合、殺菌部１２０及び風量部１３０の駆動条件を再設定することができる。したがって、室内空間の微生物の生育条件が変化しても、制御部１００は、変化した条件に適した量のオゾンが発生するように制御できるため、過度なオゾンの供給により人体に害を及ぼすのを防止することができる。
【００３８】
ここで、殺菌部１２０は、プラズマ放電を利用してオゾンを発生させる装置からなることができ、特に、誘電体バリア放電（Ｄｉｅｌｅｃｔｒｉｃ  Ｂａｒｒｉｅｒ  Ｄｉｓｃｈａｒｇｅ）を利用して、水酸化基（ＯＨ  ｒａｄｉｃａｌ）、陰イオン、オゾンなどを発生させる装置からなることができる。
【００３９】
また、風量部１３０は、殺菌部１２０により発生するオゾンが室内空間に供給され得るように、所定のファンを利用して風圧を発生させる機能を果たす。そして、該ファンのｒｐｍ（ｒｅｖｏｌｕｔｉｏｎ  ｐｅｒ  ｍｉｎｕｔｅ）を変更すれば、それに応じて風圧が可変する。
【００４０】
また、空調部１４０は、室内空間を冷暖房させる機能を果たし、圧縮器、熱交換器、膨張器からなることができる。そして、空調部１４０による室内空間の冷暖房は、制御部１００により行うことができる。
【００４１】
また、換気部１５０は、室内空間の換気のために、汚染された空気は室外に排出され、新鮮な外気が室内に供給されるようにする。そして、換気部１５０も、制御部１００によりその駆動が制御され得る。
【００４２】
図３は、温度と湿度に応じる殺菌装置の運転条件を示す図である。
【００４３】
図３に示すように、本発明の実施の形態に係る殺菌装置は、室内空間の温度と湿度に応じて区画された領域の条件に応じて異なるように動作するように制御される。すなわち、微生物の生育条件に応じて殺菌部１２０により発生するオゾン量が変わるように制御される。
【００４４】
詳細には、センサ部１１０により測定される温度が所定温度Ａ℃以上になり、測定される湿度がＣ〜Ｂ％になる場合には、かびの成長を中止させるための第１領域２１０と定義され得る。第１領域２１０では、かびの活動性または発生量は大きく増加しないが、存在するかびは生育し得る。
【００４５】
したがって、室内空間が第１領域２１０に該当すると判断される場合には、制御部１００は、殺菌部１２０に印加される電圧の大きさを減少させて消費電力を低減させることにより、室内空間に過度なオゾンが供給されるのを防止する。
【００４６】
また、センサ部１１０により測定される温度が所定温度Ａ℃以上になり、測定される湿度が所定湿度Ｂ％以上になる場合には、かびの活動性または発生量を抑制させる第２領域２２０と定義され得る。第２領域２２０では、かびの活動性または発生量が大きく増加することができ、これにより、室内空間の空気質が急激に低下する。
【００４７】
したがって、室内空間が第２領域２２０に該当すると判断される場合には、制御部１００は、短い時間に多い量のオゾンが室内空間に供給することができるように、殺菌部１２０及び風量部１３０を制御する。
【００４８】
一方、第１領域２１０と第２領域２２０以外の領域、すなわちセンサ部１１０により測定される温度がＡ℃以上であり、測定される湿度がＣ％未満である領域と、測定される温度がＡ℃未満である領域は、第３領域２３０と定義され得る。
【００４９】
そして、第３領域２３０では、ウイルスの活動性または発生量が増加することができ、これにより、室内空間の空気質が低下し得る。
【００５０】
したがって、室内空間が第３領域２３０に該当すると判断される場合には、制御部１００は、殺菌部１２０に印加される電源のオン／オフ時間の割合を調節することによって、適切な量のオゾンが室内空間に供給されるようにする。
【００５１】
図４は、本発明の実施の形態に係る殺菌部により室内空間に流入するオゾン量を説明する図であり、図５〜図７は、殺菌部に印加される電源のオン／オフ時間を説明する図である。
【００５２】
図４〜図７に示すように、本発明の実施の形態に係る殺菌部１２０の制御は、殺菌部１２０に印加される電源のオン／オフ時間の割合を調節することによって行われ、特に、殺菌部１２０に印加される電源のオン時間が間歇的に行われる。
【００５３】
一実施の形態として、センサ部１１０により測定される温度及び湿度が第１領域２１０に該当する場合には、殺菌部１２０は、第１モード３１０で動作し、室内空間に供給されるオゾンの量は、時間が経過につれて１８ｐｐｂ程度に維持されることができる。
【００５４】
そして、センサ部１１０により測定される温度及び湿度が第３領域２３０に該当する場合には、殺菌部１２０は、第３モード３３０で動作し、室内空間に供給されるオゾンの量は、時間の経過につれて３８ｐｐｂ〜４８ｐｐｂ間の範囲に維持されることができる。
【００５５】
詳細には、殺菌部１２０が第１モード３１０または第３モード３３０で動作する場合に、殺菌部１２０に印加される電源のオン時間は、図６に示すように間歇的に行われる。
【００５６】
但し、殺菌部１２０が第１モード３１０で動作する場合には、室内空間に供給されるオゾンの量が、第３モード３３０で動作する場合より少ないため、第３モード３３０で殺菌部１２０に印加される電源の大きさより第１モード３１０で殺菌部１２０に印加される電源の大きさが小さく設定されるはずである。
【００５７】
一方、殺菌部１２０が第１モード３１０または第３モード３３０で動作する場合に、殺菌部１２０に印加される電源のオン時間４１０とオフ時間４００の割合（ｒａｔｉｏ）を説明すれば、以下の通りである。
【００５８】
殺菌部１２０が第１モード３１０で動作する場合には、殺菌部１２０に印加される電源のオン時間４１０とオフ時間４００の割合を０．２±０．０５の範囲に設定することができる。これは、図４に示すように、室内空間に流入するオゾンの量を、略１８ｐｐｂに維持させるための設定である。
【００５９】
そして、殺菌部１２０が第３モード３３０で動作する場合には、殺菌部１２０に印加される電源のオン時間４１０とオフ時間４００の割合を０．１±０．０５の範囲に設定することができる。これは、図４に示すように、室内空間に流入するオゾンの量を、略４８ｐｐｂに維持させるためである。
【００６０】
また、センサ部１１０により測定される温度及び湿度が、第２領域２２０に該当する場合には、殺菌部１２０は、第２モード３２０で動作し、これにより、室内空間に流入するオゾンの量が所定の周期を有し、かつオゾンの最大発生量が略５０ｐｐｂになる。
【００６１】
詳細には、殺菌部１２０が第２モード３２０で動作する場合に、殺菌部１２０に印加される電源のオン／オフ時間４１０、４２０は、図５に示すように、所定の周期を有し、かつ間歇的に行われる。
【００６２】
そして、殺菌部１２０に印加される電源のオン時間４１０とオフ時間４００が所定回数行われた後には、所定時間の間に連続して前記オフ時間４００が維持された区間であるブレーキ時間４２０を有することによって、一周期が完成される。
【００６３】
そして、殺菌部１２０が第２モード３２０で動作する場合に、オン時間４１０とオフ時間４００の割合は０．３±０．０５の範囲に設定することができる。これは、図４に示すように、室内空間に流入するオゾンの量が所定の周期をなしながら増加と減少が繰り返されるようにし、その最大値が略５０ｐｐｂになるようにするためである。
【００６４】
そして、殺菌部１２０が第２モード３２０で動作する場合には、風量部１３０により発生する風圧が増加するように設定することができる。これは、第２モード３２０で室内空間に短い時間に多い量のオゾンを供給するためであり、これは、風量部１３０に備えられるファンのｒｐｍを増加させることによって行うことができる。
【００６５】
第１〜第３モード３１０、３２０、３３０は、微生物の活動性及び発生量により区分され得るものであって、微生物の活動性及び発生量が増加する条件であるほど、殺菌部１２０に印加される電源のオン時間４１０が大きく設定される。
【００６６】
上述したように、殺菌部１２０に印加される電源のオン／オフ時間４００、４１０を間歇的に設定すること以外に、図７に示すように、継続的な直流電源の供給によりオゾンが発生するように設定できる。
【００６７】
詳細には、殺菌部１２０が第４モード３４０で動作する場合は、ユーザにより発生するオゾンの量が制御される受動モード（後述する）になり得る。この場合、室内空間に流入するオゾンの量が増加し続ける。
【００６８】
そして、殺菌装置が第４モード３４０で動作する場合には、過度なオゾンの流入を防止するために、換気部１５０により室内空間の換気が行われるようにすることができる。
【００６９】
このために、制御部１００は、殺菌部１２０の動作時間が所定時間経過した時に換気部１５０を動作させて、室内空間のオゾン量を減少させることができる。そして、制御部１００は、室内空間のオゾン量を測定することのできる所定のセンサを利用して、室内空間のオゾン量を測定することができ、オゾン量が設定量に到達する場合には、換気部１５０を動作させて室内空間のオゾン量を減少させることができる。
【００７０】
図８は、本発明の実施の形態に係る殺菌装置の制御方法を説明する図である。
【００７１】
図８に示すように、まずユーザにより殺菌装置が動作すると（Ｓ１００）、殺菌装置の動作が自動モードに設定されていているか否かを判断する（Ｓ１１０）。上記自動モードは、殺菌部１２０に印加される電源のオン時間が間歇的に行われることによって、殺菌装置の電力消費を低減させ、室内空間に過度なオゾンが流入するのを防止するためである。
【００７２】
仮りに、殺菌装置の動作が自動モードではない受動モードで入力された場合には、制御部１００は、所定の直流電源を殺菌部１２０に印加し続けて、殺菌部１２０が第４モード３４０で動作するように設定する（Ｓ１６０）。
【００７３】
しかしながら、殺菌装置の動作が自動モードで入力された場合には、センサ部１１０により室内空間の温度及び湿度が測定され（Ｓ１２０）、これを制御部１００で読み込む。
【００７４】
そして、制御部１００は、センサ部１１０により測定される温度がＡ℃以上であるか否かを判断し（Ｓ１３０）、測定された温度がＡ℃未満となる場合には、殺菌部１２０が第３モード３３０で動作するように設定する（Ｓ１７０）。
【００７５】
センサ部１１０により測定される温度がＡ℃以上になる場合には、測定された湿度がＢ％未満であるか否かが判断される（Ｓ１４０）。そして、測定された湿度がＢ％以上になる場合には、制御部１００は、殺菌部１２０が第２モード３２０で動作するように設定する（Ｓ１８０）。
【００７６】
しかしながら、センサ部１１０により測定された湿度がＢ％未満である場合には、前記Ｂより小さな数値のＣ％以上であるか否かがさらに判断され（Ｓ１５０）、測定された湿度がＣ％未満である場合には、制御部１００は、殺菌部１２０が第３モード３３０で動作するように設定する（Ｓ１７０）。そして、測定された湿度がＣ％以上である場合には、制御部１００は、殺菌部１２０が第１モード３１０で動作するように設定する（Ｓ１９０）。
【００７７】
上記の通りに、殺菌装置が自動モードに選択された場合には、制御部１００により殺菌部１２０の動作に対するモード設定（第１〜第３モード）が行われ、設定されたモードに応じて殺菌部１２０が自動に動作するように制御される（Ｓ２００）。
【００７８】
上記のような制御方法により、室内温度と湿度に応じて前記殺菌部１２０が異なるように動作するようにすることにより、殺菌装置の電力消費を低減させることができ、室内空間に適正量のオゾンを分布させるという効果ある。
【００７９】
そして、上記殺菌装置は、室内空間を冷暖房または換気させる空調装置と連動して作動可能であり、この場合、空調機能と共にかびまたはウイルスなどの微生物を殺菌させる殺菌機能が同時に行われるという効果がある。
【図面の簡単な説明】
【００８０】
【図１】微生物の生育条件を説明する図である。
【図２】本発明の実施の形態に係る殺菌装置の構成を説明するブロック図である。
【図３】温度と湿度に応じる殺菌装置の運転条件を示す図である。
【図４】本発明の実施の形態に係る殺菌部により室内空間に流入するオゾン量を説明する図である。
【図５】殺菌部に印加される電源のオン／オフ時間を説明する図である。
【図６】殺菌部に印加される電源のオン／オフ時間を説明する図である。
【図７】殺菌部に印加される電源のオン／オフ時間を説明する図である。
【図８】本発明の実施の形態に係る殺菌装置の制御方法を説明する図である。
【符号の説明】
【００８１】
１００    制御部
１１０    センサ部
１２０    殺菌部
１３０    風量部
１４０    空調部
１５０    換気部
【図１】
2007130483.tif 000003
【図２】
2007130483.tif 000004
【図３】
2007130483.tif 000005
【図４】
2007130483.tif 000006
【図５】
2007130483.tif 000007
【図６】
2007130483.tif 000008
【図７】
2007130483.tif 000009
【図８】
2007130483.tif 000010